(57)【要約】本発明は、ＵＶ露光下でのみ出現することができる隠しマークを物体に適用するために使用することができる、（ａ）式（Ｉ）Ｌm−Ｌｎ3+（Ｃｈ-）n（Ｉ）（式中、Ｌｎはランタニドを表し、Ｃｈ-は、少なくとも１個のＵＶ吸収性二重結合を含む、負に帯電した配位子であり、ｎは３又は４を表し、ｍは１〜４の数を表し、ｎが３である場合、ｍは１〜４の数を表し、Ｌは、２，２′−ビピリジルを除き、中性の単座又は多座の窒素、酸素又は硫黄含有ＵＶ吸収性配位子であり、ｎが４である場合、ｍは１を表し、Ｌは、１個の電荷を有するカチオンである）の化合物、及び（ｂ）液体インクキャリヤを含有するインク組成物に関する。【特許請求の範囲】
【請求項１】
（ａ）式Ｉ
【化１】
2005518472.tif 000008
（式中、Ｌｎはランタニドを表し、
Ｃｈ-は、少なくとも１個のＵＶ吸収性二重結合を含む、負に帯電した配位子であり、
ｎは３又は４を表し、ｍは１〜４の数を表し、
ｎが３である場合、ｍは１〜４の数を表し、Ｌは、２，２′−ビピリジルを除き、中性の単座又は多座の窒素、酸素又は硫黄含有ＵＶ吸収性配位子であり、ｎが４である場合、ｍは１を表し、Ｌは、１個の電荷を有するカチオンである）
の化合物、及び
（ｂ）液体インクキャリヤ
を含有するインク組成物。
【請求項２】
成分（ａ）として、式II、III又はIV
【化２】
2005518472.tif 000009
（式中、Ｌｎはランタニドを表し、
ｎは３又は４を表し、ｍは１〜４の数を表し、
ｎが３である場合、ｍは１〜４の数を表し、Ｌは、２，２′−ビピリジルを除き、中性の単座又は多座の窒素、酸素又は硫黄含有ＵＶ吸収性配位子であり、ｎが４である場合、ｍは１を表し、Ｌは、１個の電荷を有するカチオンであり、
Ｒ2は、水素又はＣ1〜Ｃ6アルキルであり、
Ｒ1及びＲ3は、互いに独立して、水素、Ｃ1〜Ｃ6アルキル、ＣＦ3、Ｃ5〜Ｃ24アリール又はＣ4〜Ｃ24ヘテロアリールである）
の化合物を含有する、請求項１記載のインク組成物。
【請求項３】
成分（ａ）として、Ｌが窒素含有配位子である式Ｉの化合物を含有する、請求項１記載のインク組成物。
【請求項４】
成分（ａ）として、Ｌが式Ｖ、VI、VII、VIII又はIX
【化３】
2005518472.tif 000010
（式中、Ｒ4、Ｒ5及びＲ6は、互いに独立して、水素、ハロゲン、Ｃ1〜Ｃ6アルキル、Ｃ5〜Ｃ24アリール、Ｃ6〜Ｃ24アラルキル、Ｃ1〜Ｃ6アルコキシ、ジアルキルアミノ又は環式アミノ基であり、Ｒ7は、水素、Ｃ1〜Ｃ6アルキル、Ｃ5〜Ｃ24アリール又はＣ6〜Ｃ24アラルキルである）
の化合物である式Ｉの化合物を含有する、請求項１記載のインク組成物。
【請求項５】
成分（ａ）として、Ｌが式Ｖ、VI、VII、VIII又はIX（Ｒ4、Ｒ5及びＲ6は、水素、メチル、ピロリジノ又はジメチルアミノである）の化合物である式Ｉの化合物を含有する、請求項４記載のインク組成物。
【請求項６】
成分（ａ）として、ＬｎがＥｕ、Ｔｂ又はＤｙである式Ｉの化合物を含有する、請求項１記載のインク組成物。
【請求項７】
成分（ａ）として、Ｒ1及びＲ3がメチル、tert−ブチル、ｎ−ペンチル又はフェニルである式II、III又はIVの化合物を含有する、請求項２記載のインク組成物。
【請求項８】
成分（ａ）として、Ｒ2が水素である式IIの化合物を含有する、請求項２記載のインク組成物。
【請求項９】
成分（ａ）として、式Ｘ、XI、XII、XIII、XIV又はXV
【化４】
2005518472.tif 000011
の化合物を含有する、請求項１記載のインク組成物。
【請求項１０】
成分（ｂ）として、１種以上の有機溶媒又は水と１種以上の有機溶媒との混合物を含有する、請求項１記載のインク組成物。
【請求項１１】
有機溶媒として、脂肪族アルコール、エーテルアルコール、グリコール、ジメチルスルホキシド（ＤＭＳＯ）、ジメチルホルムアミド（ＤＭＦ）、ジメチルアセトアミド（ＤＭＡ）、脂肪族又は芳香族ケトン、芳香族炭化水素、カルボン酸エステル又は脂肪族ポリエーテルを含有する、請求項１０記載のインク組成物。
【請求項１２】
有機溶媒として水混和性溶媒を含有する、請求項１０記載のインク組成物。
【請求項１３】
有機溶媒として、エチレングリコール又はプロピレングリコールを含有する、請求項１０記載のインク組成物。
【請求項１４】
（ｃ）バインダー樹脂をさらに含有する、請求項１記載のインク組成物。
【請求項１５】
バインダー樹脂（ｃ）が、ポリアクリル樹脂、ポリアクリル酸エステル、ポリウレタン、ポリウレタン−アクリレート、スチレン−アクリル酸コポリマー、ニトロセルロース及びエチルセルロースからなる群より選択される、請求項１４記載のインク組成物。
【請求項１６】
成分（ａ）＋（ｂ）の合計量に基づいて、成分（ａ）を０．０１〜７０．０重量％、成分（ｂ）を３０．０〜９９．９９重量％含有する、請求項１〜１５のいずれか１項記載のインク組成物。
【請求項１７】
成分（ａ）＋（ｂ）＋（ｃ）の合計量に基づいて成分（ｃ）を０．５〜７０重量％含有する、請求項１〜１６のいずれか１項記載のインク組成物。
【請求項１８】
（ｄ）１種以上の着色剤をさらに含有する、請求項１〜１７のいずれか１項記載のインク組成物。
【請求項１９】
ＵＶ露光下でのみ出現することができる隠しマークで物品をマーキングするためのシステムであって、前記マークを前記物品に印刷するための印刷手段を含み、前記印刷手段が、請求項１〜１８のいずれか１項記載のインク組成物を用いるシステム。
【請求項２０】
物体に隠しマークを付ける方法であって、請求項１〜１８のいずれか１項記載のインク組成物を前記物体に塗布することと、前記インクキャリヤのすべて又は実質すべてを蒸発又は前記物体中への吸収によって除去することとを含む方法。
【請求項２１】
前記物体が織物材料である、請求項２０記載の方法。
【発明の詳細な説明】
【技術分野】
【０００１】
本発明は、ランタニドIII錯体を含有するインク組成物、隠しマークで物品をマーキングするための系及び物体に隠しマークを付ける方法に関する。
【０００２】
いくつかの理由で、ＵＶ露光下でのみ出現することができる隠しマークを多様な物品に適用する必要性がある。たとえば、封筒、小切手、銀行手形、有価証券、スタンプ、ＩＤカード、パスポート、チケット、証明書などにセキュリティマーキングが必要である。
【０００３】
織物もまた、ＵＶ露光下でのみ見えるようになるセキュリティマーキング又は特殊装飾として働くことができるような隠し模様が付けられる。
【０００４】
ＷＯ９７／１０３０７は、インクキャリヤと、希土類金属有機キレート化合物である蛍光着色剤とを含む、白又は淡色の基材にマーキングするのに適したジェットインク組成物を開示している。これらの蛍光着色剤は、約２７５nm〜約４００nmの範囲のＵＶ線で励起可能であり、可視範囲の蛍光を発する。しかし、その光度及び量子収率は、もっとも高い要件を満たすわけではない。
【０００５】
したがって、本発明の目的は、種々の基材、たとえば皮革を含む織物、セルロース材料、金属、プラスチック材料、オリゴマー又はポリマーマトリックスで被覆された他の基材及び他の多孔質材料に対するすべての公知の印刷用途に使用することができる、肉眼には見えないがＵＶ露光下で強い発光を生じさせる着色剤を含むインク組成物を提供することである。
【０００６】
本発明は、
（ａ）式Ｉ
【０００７】
【化５】
2005518472.tif 000002
【０００８】
（式中、Ｌｎはランタニドを表し、
Ｃｈ-は、少なくとも１個のＵＶ吸収性二重結合を含む、負に帯電した配位子であり、
ｎは３又は４を表し、ｍは１〜４の数を表し、
ｎが３である場合、ｍは１〜４の数を表し、Ｌは、２，２′−ビピリジルを除き、中性の単座又は多座の窒素、酸素又は硫黄含有ＵＶ吸収性配位子であり、ｎが４である場合、ｍは１を表し、Ｌは、１個の電荷を有するカチオンである）
の化合物、及び
（ｂ）液体インクキャリヤ
を含有するインク組成物に関する。
【０００９】
式Ｉの化合物は、基本的には、単座又は多座の窒素、酸素又は硫黄含有ＵＶ吸収性配位子、たとえば非置換であるか、置換されているピリジン、ピラジン、キノリン、アニリン、フェナントロリン、テルピリジン、イミダゾール、ベンズイミダゾール、ビスイミダゾール、ビスベンズイミダゾール、ピリミジン、ビピリミジン、ナフチリジン、トリアジン、ビストリアジン、オキサゾール、ビスオキサゾール、オキサゾリン、ビスオキサゾリン及びそれらの置換誘導体ならびに上述の配位子のすべての該当する（ポリ）Ｎ酸化物誘導体を含むことができる。
【００１０】
Ｌは、ポリキレート化配位子、たとえば４，４′−ビピリジルであることができるため、式Ｉ及びIIの化合物は、二座配位子を介して接続された２個のＭIII−（ジケトン）3又はＭIII−（カルボキシレート）3単位を含有する多金属キレート化合物、たとえば式（XIV）の化合物を含む。
【００１１】
【化６】
2005518472.tif 000003
【００１２】
好ましいインク組成物は、成分（ａ）として、式II、III又はIVの化合物を含有する。
【００１３】
【化７】
2005518472.tif 000004
【００１４】
式中、Ｌｎはランタニドを表し、
ｎは３又は４を表し、ｍは１〜４の数を表し、
ｎが３である場合、ｍは１〜４の数を表し、Ｌは、２，２′−ビピリジルを除き、中性の単座又は多座の窒素、酸素又は硫黄含有ＵＶ吸収性配位子であり、ｎが４である場合、ｍは１を表し、Ｌは、１個の電荷を有するカチオンであり、
Ｒ2は、水素又はＣ1〜Ｃ6アルキルであり、
Ｒ1及びＲ3は、互いに独立して、水素、Ｃ1〜Ｃ6アルキル、ＣＦ3、Ｃ5〜Ｃ24アリール又はＣ4〜Ｃ24ヘテロアリールである。
【００１５】
好ましくは、Ｌは窒素含有配位子である。
【００１６】
特に好ましいものは、Ｌが式Ｖ、VI、VII、VIII又はIX
【００１７】
【化８】
2005518472.tif 000005
【００１８】
（式中、Ｒ4、Ｒ5及びＲ6は、互いに独立して、水素、ハロゲン、Ｃ1〜Ｃ6アルキル、Ｃ5〜Ｃ24アリール、Ｃ6〜Ｃ24アラルキル、Ｃ1〜Ｃ6アルコキシ、ジアルキルアミノ又は環式アミノ基であり、Ｒ7は、水素、Ｃ1〜Ｃ6アルキル、Ｃ5〜Ｃ24アリール又はＣ6〜Ｃ24アラルキルである）
の化合物である式Ｉの化合物である。
【００１９】
置換基Ｒ1〜Ｒ7としてのアルキル基は、直鎖状であることもできるし、分岐鎖状であることもできる。挙げることができる例は、メチル、エチル、ｎ−プロピル、イソプロピル、ｎ−ブチル、sec−ブチル、イソブチル、tert−ブチル、ｎ−ペンチル、ネオペンチル、イソペンチル、ｎ−ヘキシル及びイソヘキシルである。
【００２０】
置換基Ｒ4〜Ｒ6としてのアルコキシ基は、たとえば、メトキシ、エトキシ、ｎ−プロポキシ、イソプロポキシ、ｎ−ブトキシ又はtert−ブトキシであることができる。
【００２１】
Ｃ5〜Ｃ24アリール基の例は、フェニル、トリル、メシチル、イシチル、ジフェニル、ナフチル及びアントリルである。フェニルが好ましい。
【００２２】
ヘテロアリール基は、好ましくは、４又は５個のＣ原子ならびにＯ、Ｓ及びＮから選択される１又は２個のヘテロ原子を含む。例は、ピロリル、フラニル、チオフェニル、オキサゾリル、チアゾリル、ピリジル、ピラジニル、ピリミジニル、ピリダジニル、インドリル、プリニル又はキノリルである。
【００２３】
置換基Ｒ4〜Ｒ7としてのアラルキル基は、たとえば、ベンジル、２−フェニルエチル、トリルメチル、メシチルメチル及び４−クロロフェニルメチルであることができる。
【００２４】
適切なジアルキルアミノ基は、たとえば、ジエチルアミノ、ジイソプロピルアミノ、ジ−ｎ−プロピルアミノ、Ｎ−メチル−Ｎ−エチルアミノ及び特にジメチルアミノ又はピロリジノである。
【００２５】
適切な環式アミノ基は、ピロリジノ及びピペリジノである。
【００２６】
置換基Ｒ4〜Ｒ6としてのハロゲン原子は、好ましくは、フッ素、塩素又は臭素、特に塩素である。
【００２７】
本発明の好ましいインク組成物は、成分（ａ）として、Ｌが式Ｖ、VI、VII、VIII又はIX（式中、Ｒ4、Ｒ5及びＲ6は、水素、メチル、ジメチルアミノ又はピロリジノである）の化合物である式Ｉの化合物を含有する。
【００２８】
好ましい成分（ａ）は、ＬｎがＥｕ、Ｔｂ又はＤｙである式Ｉの化合物である。
【００２９】
さらには、Ｒ1及びＲ3がメチル、tert−ブチル、ｎ−ペンチル又はフェニルである式II、III又はIVの化合物が好ましい。
【００３０】
式II中のＲ2は、好ましくは水素である。
【００３１】
成分（ａ）として特に好ましいものは、式Ｘ、XI、XII、XIII、XIV又はXVの化合物である。
【００３２】
【化９】
2005518472.tif 000006
【００３３】
特定の用途に関して、種々のランタニド、たとえばＥｕ及びＴｂの組み合わせを使用することが望ましい。このような混合物は、隠しマークのセキュリティの程度、セキュリティレベルの洗練度を高め、暗号化の可能性を倍数的に増す。
【００３４】
式Ｉの化合物は、たとえばＷＯ９６／２０９４２から公知であるか、そのもの公知の方法によって調製することができる。たとえば、アセチルアセトン、ベンゾイルアセトン、ジベンゾイルメタン、ジピバロイルメタン、サリチル酸、バレリアン酸又はカプロン酸のような配位子を、適切な条件下、希土類金属ハロゲン化物、たとえば三塩化ユーロピウムと反応させて、希土類金属キレート化合物を製造することができる。さらなる詳細は、米国特許第４，７３６，４２５号に見いだすことができる。
【００３５】
こうして得られた希土類金属キレート化合物をさらに単座又は二座の窒素、酸素又は硫黄含有配位子Ｌと反応させて、それによって式II、III及びIVの希土類金属キレート化合物を得ることができる。この反応は、たとえばＷＯ９６／２０９４２に記載されている。
【００３６】
印刷組成物の技術で公知の適切なインクキャリヤを、水性キャリヤ及び有機キャリヤならびにそれらの組み合わせを含め、本発明のインク組成物を調製するために使用することができる。キャリヤは、式Ｉ又はIIの化合物及び適切な場合にはインク組成物のさらなる成分に関して十分な溶解度を有するべきである。加えて、キャリヤは、印刷される物品から、蒸発及び／又は基材への吸収によって容易に消散することができるべきである。適切な有機キャリヤは、アルコール、グリコール、エーテルアルコール、スルホキシド、アミド、アミン、複素環式溶媒、ケトン、エーテル、エステル、ニトリルならびに脂肪族、脂環式及び芳香族の炭化水素を含む。
【００３７】
適切な有機溶媒の例は、メタノール、エタノール、ｎ−プロパノール、イソプロパノール、ｎ−ブタノール、グリセロール、エチレングリコール、プロピレングリコール、ジエチレングリコール、ジプロピレングリコール、ポリエチレングリコール、ポリプロピレングリコール、エチレングリコールモノエチルエーテル、エトキシブタノール、ジメチルスルホキシド（ＤＭＳＯ）、ジメチルホルムアミド（ＤＭＦ）、ジメチルアセトアミド（ＤＭＡ）、Ｎ−メチルピロリドン（ＮＭＰ）、アセトン、２−ブタノン、ジエチルエーテル、ジ−ｎ−プロピルエーテル、テトラヒドロフラン（ＴＨＦ）、酢酸エチル、プロピオン酸エチル、アセトニトリル、ピリジン、ｎ−ペンタン、ｎ−ヘキサン、シクロヘキサン、ベンゼン及びトルエンである。
【００３８】
好ましくは、インクキャリヤ（ｂ）は、有機溶媒、２種以上の有機溶媒の混合物又は水と１種以上の有機溶媒との混合物である。
【００３９】
溶媒ベースの用途の場合、アルコール、ケトン、エステル、ポリエーテルもしくは芳香族炭化水素又はインクキャリヤとして前述した溶媒の混合物を使用することが望ましい。
【００４０】
水性の用途には、水と混和性である溶媒、たとえばアルコール、グリコール、エーテルアルコール、ニトリル、ＤＭＳＯ、ＤＭＦ、ＤＭＡ、ＮＭＰ、ＴＨＦ及びアセトンが意図的に使用される。
【００４１】
好ましい有機溶媒は、脂肪族アルコール、グリコール、エーテルアルコール、ジメチルスルホキシド（ＤＭＳＯ）、ジメチルホルムアミド（ＤＭＦ）、ジメチルアセトアミド（ＤＭＡ）、Ｎ−メチルピロリドン（ＮＭＰ）、脂肪族又は芳香族ケトン、芳香族炭化水素、カルボン酸エステル及び脂肪族ポリエーテルである。
【００４２】
グリセロール、エチレングリコール及びプロピレングリコールが特に好ましい有機溶媒である。
【００４３】
本発明のインク組成物は、１種以上のバインダー樹脂（ｃ）をさらに含むことができる。
【００４４】
バインダー樹脂は、特に非多孔質物品、たとえばプラスチック、金属材料及びグラシン材料に対する着色剤の被着を固定化又は増強するように作用する。いかなる適切なバインダー樹脂を使用してもよい。好ましくは、バインダー樹脂は、インクキャリヤ中に可溶性、分散性又は乳化性である。さらに、バインダー樹脂は、インクキャリヤの消散ののち基材に十分に被着することが好ましい。
【００４５】
適切なバインダー樹脂の例は、アルキド樹脂、アクリル樹脂、アクリル酸樹脂、アクリルラテックス、エポキシ樹脂、ポリビニルピロリドン、ポリウレタン、ビニル樹脂、ポリ酢酸ビニル、ポリビニルアルコール、ポリビニルブチラール、ＰＶＣ、塩素化ゴム、ポリカプロラクトン、脂肪酸のポリエチレングリコールエステル、ポリアルケン、たとえばポリエチレン、ポリプロピレン及びポリブチレン、ポリスチレン、ポリ−α−メチルスチレン、ポリエチレンと酢酸ビニルとのコポリマー、ポリスルホン、ポリエステル、ポリシロキサン、スチレンブタジエン、スチレン−アクリル酸コポリマー、ポリアクリル樹脂、ポリアクリル酸エステル、たとえばポリメチルアクリレート及びポリメチルメタクリレート、ニトロセルロース及びセルロースエーテル、たとえばメチルセルロース及びエチルセルロースならびにそれらの混合物を含む。
【００４６】
本発明の組成物は、当該技術で公知のすべての従来の水性及び溶媒ベースの印刷配合物と十分に適合性である。これらの印刷配合物のいくつかは市販されている。
【００４７】
本発明の好ましいインク組成物において、バインダー樹脂（ｃ）は、ポリアクリル樹脂、ポリアクリル酸エステル、ポリウレタン、ポリウレタン−アクリレート、スチレン−アクリル酸コポリマー、ニトロセルロース及びエチルセルロースからなる群より選択される。
【００４８】
ポリアクリル樹脂、ポリアクリル酸エステル、ポリウレタン又はポリウレタン−アクリレートをバインダー樹脂（ｃ）として含有する水性インクジェット配合物が特に好ましい。
【００４９】
本発明の組成物中、成分（ａ）及び（ｂ）ならびに適切な場合には（ｃ）の量は、広い範囲で異なることができる。
【００５０】
好ましい組成物は、成分（ａ）＋（ｂ）の合計量に基づいて、成分（ａ）を０．０１〜７０．０重量％、より好ましくは０．０５〜３０重量％、特に０．１〜１０．０重量％、成分（ｂ）を３０．０〜９９．９９重量％、より好ましくは７０．０〜９９．９５重量％、特に９０．０〜９９．９重量％含有する。
【００５１】
成分（ａ）の高い量は通常、溶媒ベースの用途におけるインク濃縮物に好適である。
【００５２】
成分（ｃ）の量は、必要な粘度及び基材への必要な固着性を決定する印刷用途に依存する。好ましくは、成分（ｃ）の量は、成分（ａ）＋（ｂ）＋（ｃ）の合計量に基づいて０．５〜７０重量％、より好ましくは１〜５０重量％、特に１〜３０重量％である。
【００５３】
本発明のインク組成物中に存在することができるさらなる成分は、たとえば、天然又は合成の増粘剤、染料、顔料、光学増白剤、ｐＨを所望の値に調節するための酸、塩基及び／又は塩、アニオン、非イオン又はカチオン界面活性剤、消泡剤及び凍結防止剤、殺生剤、殺菌剤、電解質、保湿剤、香料、柔軟剤及び固着剤である。
【００５４】
特に好ましいものは、（ｄ）１種以上の着色剤をさらに含有する本発明の組成物である。
【００５５】
適切な着色剤は、種々の顔料及び染料の混合物を含む周知の顔料及び染料である。
【００５６】
本発明のインク組成物は、当業者に公知の適切な方法によって調製することができる。たとえば、組成物の各成分を適切なミキサ又はブレンダの中で混合することができる。
【００５７】
本発明はさらに、ＵＶ露光下でのみ出現することができる隠しマークで物品をマーキングするためのシステムであって、前記マークを前記物品に印刷するための手段を含み、前記印刷手段が上記のインク組成物を用いるシステムを提供する。
【００５８】
マーキングシステムは、物品を印刷手段まで運ぶための輸送システムをさらに含むこともできる。たとえば、物品は、コンベヤベルトを使用してインクジェットプリンタのプリントヘッドの下に運ぶことができる。
【００５９】
本発明はさらに、物体、好ましくは織物材料に隠しマークを付ける方法であって、上記のインク組成物を前記物体に塗布することと、前記インクキャリヤのすべて又は実質すべてを蒸発又は前記物体中もしくは前記物体上への吸収によって除去することとを含む方法に関する。
【００６０】
隠しマークはまた、目に見えるマークの上にオーバプリントすることにより、又は実施例に記載するような色付き配合物を使用することにより、目に見えるマークの中に隠すこともできる。
【００６１】
隠しマークは、約２７５nm〜約４００nmの波長を有する励起放射線に物体を暴露することにより、目に見えるようにすることができる。発される蛍光放射線は、可視範囲、好ましくは約４５０nm〜約７００nmである。発光スペクトルは鋭い発光ピークを含む。
【００６２】
本発明は、すべての通例の印刷用途、たとえばフレキソ印刷、オフセット印刷、スクリーン印刷、インクジェット印刷、転写印刷及び捺染に応用することができる。
【００６３】
多様な基材、たとえば織物材料（羊毛、綿、皮革、絹、ポリアミド、ポリエステル、混合繊維、ポリアクリロニトリル、ライクラ）、セルロース材料（木、紙）、金属及びプラスチック材料（ポリエチレン、ポリプロピレン、ポリエチレンテレフタレート、ポリブチレンテレフタレート）、多孔質材料、受容性ポリマーもしくはオリゴマーマトリックスで被覆されている又はバインダー系（ｃ）によって提供されるポリマーもしくはオリゴマーマトリックスで被覆されていることができる他の基材を、本発明の発蛍光性着色剤でマーキングすることができる。
【００６４】
本発明は、ＵＶ露光下で出現することができる無色又は色付きの隠しマークを種々の無色、白色、淡色又は濃色の基材に適用することを可能にする。本発明の組成物は、抜群の発光量子収量、長く続く発光及び高い光度により、類似の従来技術組成物とは区別される。
【００６５】
以下の例が本発明を説明する。
【００６６】
インク組成物Ａ
１，２−プロピレングリコール中の化合物XIIの濃縮物
【００６７】
【化１０】
2005518472.tif 000007
【００６８】
化合物XII（ＷＯ９６／２０９４２にしたがって調製）１gを１００℃で加熱しながら１時間かけて１，２−プロピレングリコール９９gに溶解した。明澄な黄色の溶液を冷まし、ろ過（清澄）すると、ＵＶ光の下で強い赤色発光を示す安定なインク組成物Ａが得られた。この濃縮物はさらに、紙、織物、皮革、木、プラスチック又は他の適合性のある基材のための溶媒ベース又は水ベースの従来又は先進の（インクジェット）印刷配合物で使用することができる。
【００６９】
例１
インク組成物Ａ６重量部を標準のポリウレタン−アクリレート水性インクジェット用インク配合物４重量部で希釈することにより、無色の水性インクジェット用インクを調製した。上記の準無色の配合物は、白い紙、色付きの紙、白又は色付きの織物に印刷されると、ＵＶ露光下で強い赤色の発光を生じさせた。
【００７０】
例２
インク組成物Ａ１部を標準の市販ポリウレタン−アクリレート顔料含有黄色水性インクジェット用インク配合物１部で希釈することにより、顔料含有黄色水性インクジェット用インクを調製した。上記の黄色の配合物は、白い紙、色付きの紙、白又は色付きの織物に印刷されると、ＵＶ露光下で強い赤色の発光を生じさせた。
【００７１】
例３
インク組成物Ａ３部を標準の市販ポリウレタン−アクリレート顔料含有赤色水性インクジェット用インク配合物１部で希釈することにより、顔料含有赤色水性インクジェット用インクを調製した。上記の赤色の配合物は、白い紙、色付きの紙、白又は色付きの織物に印刷されると、ＵＶ露光下で強い赤色の発光を生じさせた。
【国際調査報告】
2005518472.tif 000012
2005518472.tif 000013
2005518472.tif 000014